(57)【特許請求の範囲】
【請求項１】
本体部、クランプ部、フック部並びに第１及び第２のシャフト装置を含むバッグハンガーであって：
前記第１及び第２のシャフト装置はともに、シャフトスリーブ、シャフト、カム、押圧ホイール及び螺旋形圧縮ばねを含み、
前記シャフトスリーブは、一端がその中心に貫通孔が設けられる閉端であり、他端が開端であり、前記カムは、前記シャフトスリーブの開端に位置し、また前記シャフトスリーブに対して回転可能であり、
前記カムは、内端が前記シャフトスリーブ内に位置し、外端が前記シャフトスリーブの軸方向に沿って前記シャフトスリーブから突出し、また該外端の端面中心に係合溝が設けられ、
前記シャフトは、一端に係合突起が設けられ、他端に前記シャフトの軸方向に垂直な凹溝が設けられ、前記シャフトは、前記カム、前記シャフトスリーブ内に位置する前記押圧ホイール及び前記螺旋形圧縮ばねを順次挿通し、前記係合突起は、前記カムの前記係合溝に係合され、前記シャフトの他端は、前記貫通孔を挿通して前記シャフトスリーブの閉端の外へ伸び出し、前記凹溝には、前記シャフトのその軸方向の運動を制限するストッパーが設けられ、
前記押圧ホイールは、前記シャフトスリーブの内壁に套設され、前記シャフトスリーブと同期回転し、また前記シャフトスリーブの軸方向に沿って移動可能であり、前記カムの内端は、前記シャフトの軸方向に沿って凹凸形状が設けられ、前記カムに面する前記押圧ホイールの面は、凹凸形状が対応して設けられ、前記螺旋形圧縮ばねは、前記押圧ホイールと前記シャフトスリーブの閉端との間に置かれ；  
前記本体部の一端は、前記第１のシャフト装置により、前記クランプ部と回転可能に接続され、前記第１のシャフト装置の螺旋形圧縮ばねが前記本体部の一端及び前記クランプ部に対してそれらが閉じる方向へと回転力を作用し、
前記シャフトスリーブの外殻は、前記本体部に嵌められて接続され、前記クランプ部に接続される前記本体部の一端には、前記クランプ部の回転角度を制限するための第一ストッパーが設けられ、
前記カムの外端は、前記クランプ部に嵌められて接続され、前記クランプ部の自由端は、前記本体部に当接され；
前記本体部の他端は、前記第２のシャフト装置により、前記フック部と回転可能に接続され、前記第２のシャフト装置の螺旋形圧縮ばねが前記本体部の他端及び前記フック部に対してそれらが閉じる方向へと回転力を作用し、
前記シャフトスリーブの外殻は、前記フック部に嵌められて接続され、前記本体部に接続される前記フック部の一端には、前記フック部の回転角度を制限するための第二ストッパーが設けられ、
前記カムの外端は、前記本体部に嵌められて接続され、前記フック部の自由端は、前記本体部に当接され；
前記クランプ部と前記本体部の一端とが開いた状態のときにバッグハンガーとしての機能を有し、閉じた状態のときにキークラスプとして機能することを特徴とする、バッグハンガー。
【発明の詳細な説明】
【技術分野】
【０００１】
本発明は、バッグハンガーに用いるシャフト装置、及びこのシャフト装置を用いるバッグハンガーに関する。
【背景技術】
【０００２】
鍵の体積がかなり小さいので、複数の鍵をまとめて管理するためにキークラスプ（key  clasp）が用いられる。しかし、従来のキークラスプは、依然として、携帯の便利さが不十分である問題を有し、また、多くの人々は、外に出かける時に、キークラスプをバッグに入れるのが好きであるが、鍵を使用したい時に、キークラスプを探すのは難しい。従来のキークラスプは、３つの部分、即ち、本体部、クランプ部、及びフック部に分けられる。本体部は、細長い形の金属片であり、両端がそれぞれ約１８０度曲げられている。この両端のうち、一端は、キークラスプを掛けるためのフック部であり、他端は、使用時にキークラスプを探しやすくするために、キークラスプをバッグ又は当て布に留めるためのクランプ部である。従来のキークラスプは、クランプ部の金属片と本体部の金属片との間のクランプ力が比較的小さいため、クランプ部が比較的薄いバッグに留まる時に緩めやすいという欠点がある。また、従来のキークラスプは、キーを掛ける機能のみがあり、バッグハンガーとして用いることができない。よって、バッグハンガーとして用いることができるのみならず、キークラスプとしてバッグに入れることもできる多機能のバッグハンガーが望ましい。
【発明の概要】
【発明が解決しようとする課題】
【０００３】
本発明の目的は、従来技術に存在する上述の問題に鑑み、携帯に便利で且つキークラスプとして用いられ得る多機能バッグハンガーを提供することにある。
【課題を解決するための手段】
【０００４】
上述の目的を達成するために、本発明の一実施例によれば、バッグハンガーに用いるシャフト装置が提供される。このシャフト装置は、シャフトスリーブ、シャフト、カム、押圧ホイール、及び螺旋形圧縮ばねを含む。前記シャフトスリーブは、一端が中心に貫通孔が設けられる閉端であり、他端が開端であり、前記カムは、前記シャフトスリーブの開端に位置し、前記シャフトスリーブに対して回転可能である。前記カムは、内端が前記シャフトスリーブ内に位置し、外端が前記シャフトスリーブの軸方向に沿って前記シャフトスリーブから突出し、また該外端の端面中心に係合溝が設けられる。前記シャフトは、一端に係合突起が設けられ、他端に前記シャフトの軸方向に垂直な凹溝が設けられる。前記シャフトは、前記カム、前記シャフトスリーブ内に位置する押圧ホイール及び螺旋形圧縮ばねを順次挿通する。前記係合突起は、前記カムの前記係合溝に係合され、前記シャフトの他端は、前記貫通孔を挿通して前記シャフトスリーブの閉端の外へ伸び出す。前記凹溝には、前記シャフトのその軸方向の運動を制限するストッパーが設けられる。前記押圧ホイールは、前記シャフトスリーブの内壁に套設され、前記シャフトスリーブと同期回転し、また前記シャフトスリーブの軸方向に沿って移動可能である。前記カムの内端は、前記シャフトの軸方向に沿って凹凸形状が設けられ、前記カムに面する前記押圧ホイールの面は、凹凸形状が対応して設けられる。前記螺旋形圧縮ばねは、前記押圧ホイールと前記シャフトスリーブの閉端との間に置かれる。
【０００５】
また、本発明の一実施例によれば、バッグハンガーが提供される。このバッグハンガーは、本体部及びクランプ部を含む。前記本体部の一端は、上述のバッグハンガーに用いるシャフト装置により、前記クランプ部と回転可能に接続され、前記シャフトスリーブの外殻は、前記本体部に嵌められて接続される。前記クランプ部に接続される前記本体部の一端には、前記クランプ部の回転角度を制限するための第一ストッパーが設けられる。前記カムの外端は、前記クランプ部に嵌められて接続され、前記クランプ部の自由端は、前記本体部に当接される。
【０００６】
また、前記バッグハンガーは、フック部を更に含む。前記本体部の他端は、前述のバッグハンガーに用いるシャフト装置により、前記フック部と回転可能に接続される。前記シャフトスリーブの外殻は、前記フック部に嵌められて接続される。前記本体部に接続される前記フック部の一端には、前記フック部の回転角度を制限するための第二ストッパーが設けられる。前記カムの外端は、前記本体部に嵌められて接続され、前記フック部の自由端は、前記本体部に当接される。
【０００７】
好ましくは、前記フック部及び前記クランプ部は、前記本体部の両側にそれぞれ位置する。
【０００８】
好ましくは、前記フック部に接続される前記本体部の他端は、前記クランプ部が接続される側に曲げられる。
【０００９】
好ましくは、前記クランプ部の自由端には、クランプディスクが設けられる。
【００１０】
また、好ましくは、前記クランプディスクは、円形、矩形、楕円形又は心字形である。
【００１１】
また、好ましくは、前記クランプディスクには、ＬＥＤ（発光ダイオード）灯が設けられる。
【００１２】
本発明の実施例によるバッグハンガーに用いるシャフト装置は、クランプ部又はフック部を本体部に回転可能に接続させ、本体部と一定のクランプ力を維持し、また、クランプ部又はフック部を本体部に対して一定の角度回転させた後に安定状態を保たせることができる。本発明の実施例によるバッグハンガーのクランプ部及びフック部はともに本体部に対して一定の角度回転した後に安定状態を保つことができるので、クランプ部をテーブル上に置いているときに、フック部は、バッグ又は他の物を掛けるために用いられ得る。また、本発明の実施例によるバッグハンガーのクランプ部及びフック部は、本体部と閉状態になるときに、キークラスプとして用いられ得る。
【図面の簡単な説明】
【００１３】
【図１】本発明の一実施例による、バッグハンガーに用いるシャフト装置の正面図である。
【図２】図１のＡ−Ａに沿った断面図である。
【図３】図１の拡大分解斜視図である。
【図４】図３を他の方向から見た様子を示す図である。
【図５】本発明の一実施例によるバッグハンガー（クランプ部が閉状態にある時）の構造斜視図である。
【図６】図５の正面図である。
【図７】図６の右面図である。
【図８】本発明の一実施例によるバッグハンガー及びシャフト装置の分解図である。
【図９】本発明の一実施例によるバッグハンガー（クランプが開状態にある時）の構造斜視図である。
【図１０】図７に示すバッグハンガーに鍵が掛けられている時の使用状態を示す図である。
【図１１】図９に示すバッグハンガーにバッグが掛けられている時の使用状態を示す図である。
【図１２】本発明の他の実施例によるバッグハンガー（クランプディスクにＬＥＤ灯が設けられている）の構造斜視図である。
【発明を実施するための形態】
【００１４】
次に、添付した図面を参照しながら、本発明の好適な実施形態を詳細に説明する。
【００１５】
図１は、本発明の一実施例による、バッグハンガーに用いるシャフト装置の正面図である。図２は、図１のＡ−Ａに沿った断面図である。図３は、図１の拡大分解斜視図である。図４は、図３を他の方向から見た様子を示す図である。
【００１６】
図１ないし図４に示すように、本実施例のシャフト装置３は、シャフト３１、シャフトスリーブ３２、カム３４、押圧ホイール３５、及び螺旋形圧縮ばね３３を含む。シャフトスリーブ３２は、一端が閉端であり、その中心に貫通孔３２１が設けられ、他端が開端である。カム３４は、シャフトスリーブ３２の開端に位置し、内端がシャフトスリーブ３２内に位置し、外端がシャフト３１の軸方向に沿ってシャフトスリーブ３２から突出する。カム３４の外端の端面中心には、係合溝３４０が設けられ、カム３４は、シャフトスリーブ３２に対して回転可能である。シャフト３１は、一端に係合突起３１１が設けられ、他端にシャフト３１の軸方向に垂直な凹溝３１２が設けられる。シャフト３１は、カム３４、シャフトスリーブ３２内に位置する押圧ホイール３５、及び螺旋形圧縮ばね３３を順次挿通する。シャフト３１の一端に位置する係合突起３１１は、カム３４の係合溝３４０に係合され、シャフト３１の他端は、貫通孔３２１を挿通してシャフトスリーブ３２の閉端から伸び出す。シャフト３１上の凹溝３１２には、シャフト３１のその軸方向の運動を制限するためのストッパー３６が設けられる。押圧ホイール３５の表面は、多角形プリズム形状であり、シャフトスリーブ３２の内壁も、多角形プリズム形状である。押圧ホイール３５は、シャフトスリーブ３２の内壁に套設され、シャフトスリーブ３２と同期回転することでき、またシャフトスリーブ３２の軸方向に沿って移動することもできる。カム３４の内端には、凹凸形状がシャフト３１の軸方向に沿って設けられ、カム３４に面する押圧ホイール３５の面には、凹凸形状も対応して設けられる。螺旋形圧縮ばね３３は、押圧ホイール３５とシャフトスリーブ３２の閉端との間に置かれる。カム３４の内端及び押圧ホイール３５の側面はともに多角形プリズム形状であり、カム３４の内端の径方向のサイズはシャフトスリーブ３２のよりも小さい。カム３４は、シャフトスリーブ３２に対して回転可能である。シャフトスリーブ３２から突出したカム３４の部分の外表面は、多角形プリズム形状であり、１つの回転部品と接続（套設による接続）するために用いられる。シャフトスリーブ３２の外殻も多角形プリズム形状であり、もう1つの回転部品と接続（套設による接続）するために用いられる。
【００１７】
図２及び図４に示すように、本実施例のシャフト装置３では、シャフト３１の両端の係合突起３１１及び凹溝３１２によりカム３４が押圧ホイール３５に押し付けられ、螺旋形圧縮ばね３３が押圧ホイール３５に対してシャフト３１の軸方向に沿って圧力を施し、これにより、カム３４の内側の凹凸部と押圧ホイール３５の凹凸部とが押し合うようになる。図４に示すように、本実施例によるカム３４には、突起部３４１及び突起部３４３がシャフト３１の軸方向に沿って対設され、突起部３４１と突起部３４３との間には、窪み部３４２が設けられる（他方側にはもう1つの窪み部もあるが、図示されていない。）。同様に、押圧ホイール３５には、窪み部３５１及び窪み部３５３が対応して設けられ、窪み部３５１と窪み部３５３との間には、突起部３５２及び突起部３５４がある。初期状態では、カム３４上の突起部３４１と押圧ホイール３５上の窪み部３５１とが互いに嵌合し、カム３４上の窪み部３４２と押圧ホイール３５上の突起部３５２とが互いに嵌合する。螺旋形圧縮ばね３３の作用により、押圧ホイール３５とカム３４とは、シャフト３１の軸方向に一定の圧力を維持し、これにより、カム３４とシャフトスリーブ３２との間に安定した状態を保たせることができる。言い換えると、一定の外力を施さなければ、カム３４を回転させることができない。
【００１８】
図４に示すように、一定の外力を施して時計回りと逆の方向に沿ってカム３４をシャフトスリーブ３２に対して回転させると、カム３４の突起部３４１と押圧ホイール３５上の突起部３５２とは互いに押し合うようになり、これにより、カム３４は、押圧ホイール３５をシャフトスリーブ３２内に押し、さらに螺旋形圧縮ばね３３を押す。カム３４がシャフトスリーブ３２に対して所定角度αだけ回転した時に、カム３４の突起部３４１は、押圧ホイール３５の窪み部３５３に進入することができ、これにより、カム３４の突起部と押圧ホイール３５の窪み部とは再び互いに嵌合するようになり、螺旋形圧縮ばね３３の作用により、新しい安定状態を保つことができる。上述から分かるように、カム３４は、一定の角度αだけ回転すれば、シャフト装置３に、安定した状態を保たせることができる。αの値は、カム３４及び押圧ホイール３５の突起部及び窪み部がシャフト３１の軸方向における投影が対応する円心角（中心角）の値に依存する。なお、本実施例では、カム３４上に２つの突起部が設置される場合を例として説明したが、カム３４上により多くの突起部及び窪み部が設けられる場合も同様であるが、この場合は、押圧ホイール３５上に、対応する突起部及び窪み部を設ける必要があり、これにより、カム３４がシャフトスリーブ３２に対して一定の角度だけ回転する度に、安定した状態を保たせることができる。
【００１９】
図５は、本発明の一実施例によるバッグハンガー（クランプ部が閉状態にある時）の構造斜視図である。図６は、図５の正面図である。図７は、図６の右面図である。図１０は、図７に示すバッグハンガーに鍵が掛けられている時の使用状態を示す図である。
【００２０】
図５ないし図７に示すように、本実施例のバッグハンガーは、本体部１１、クランプ部１２、及びフック部１３を含む。本体部１１の両端は、それぞれ、上述のシャフト装置３により、クランプ部１２及びフック部１３と回転可能に接続される。本実施例のバッグハンガーは、バッグハンガーだけでなく、キークラスプとしても用いられ得る。
【００２１】
図５ないし図７及び図１０に示すように、本実施例のバッグハンガーがキークラスプとして用いられる時に、クランプ部１２及びフック部１３は、本体部１１と閉状態を保つ。即ち、シャフト装置３内の螺旋形圧縮ばねの作用により、クランプ部１２の自由端は、本体部１１に当接し、フック部１３の自由端も、本体部１１に当接する。図８は、本発明の一実施例によるバッグハンガー及びシャフト装置の分解図である。図８に示すように、本体部１１とクランプ部１２との接続箇所には接続孔２１が設けられ、シャフト装置３は接続孔２１内に挿入され、シャフト装置３のシャフトスリーブの外殻は本体部１１に接続（套接による接続）され、シャフト装置３のカムの外端はクランプ１２に接続（套接による接続）される。本体部１１とフック部１２との間も同様な方式で接続されてもよいので、ここでは、詳しい説明を略す。上述のシャフト装置３により接続されるので、本実施例のバッグハンガーがキークラスプとして用いられる時に、接続孔２１内のカムがシャフトスリーブに対して安定した状態を保つことができ、これにより、カムに接続（套接による接続）されるクランプ１２と、シャフトスリーブに接続（套接による接続）される本体部１１との間に安定した状態を保たせることができる。換言すると、クランプ部１２を回転させることができるために、一定の外力が必要となる。図１０に示すように、本実施例のバッグハンガーがキークラスプとして用いられる時に、フック部１３が閉状態にあり、鍵９９がフック部１３と本体部１１との間に掛かり、また、この時に、クランプ部１２も閉状態にあり、これにより、クランプ部１２を例えばバッグの外側に掛け、鍵を探すのに便利である。
【００２２】
好ましくは、図５ないし図７に示すように、本実施例では、クランプ部１２及びフック部１３が本体部１１の両側にあり、且つクランプ部１２と本体部１１とのクランプ力を大きくするために、フック部１３に接続される本体部１１の一端が、クランプ部１２が設けられる側に曲げられ、クランプ部１２を本体部１１に、より密接に当接させる。また、好ましくは、本実施例では、クランプ部１２の自由端にクランプディスク１２１が設けられ、クランプディスク１２１により、より大きい接触面積を提供することができる。本実施例では、クランプディスク１２１の形状は、円形であるが、もちろん、矩形、楕円形または心字形であってもよい。クランプディスク１２１が比較的大きい面積を有することにより、クランプディスク１２１と、それにより挟まれる物との間の摩擦力を大きくすることができる。バッグハンガーとして用いられる場合は、例えば、クランプディスク１２１をテーブル上に置く時に、テーブル表面との摩擦力を増大し、バッグハンガーの安定性を保つことができる。
【００２３】
図９は、本発明の一実施例によるバッグハンガー（クランプが開状態にある時）の構造斜視図である。図１１は、図９に示すバッグハンガーにバッグが掛けられている時の使用状態を示す図である。図９及び図１０に示すように、本実施例のバッグハンガーがバッグハンガーとして用いられる時に、上述のシャフト装置中のカムは、シャフトスリーブに対して一定角度だけ回転した後に、安定した状態を保つことができるので、カムに接続（套設による接続）されるクランプ部１２も、シャフトスリーブに接続（套設による接続）される本体部１１に対して一定角度だけ回転した後に、安定した状態を保つことができる。バッグ７１又は他の物をフック１３に掛けて、クランプ１２上のクランプディスク１２１をテーブル表面７２に置けば、本実施例のバッグハンガーは、バッグハンガーとして用いることができる。よって、本実施例によるバッグハンガーは、携帯及び使用が便利であるとの利点を有する。
【００２４】
本実施例によるバッグハンガーの本体部１１と、クランプ部１２及びフック部１３との間の接続はともに上述のシャフト３を採用する。キークラスプとして用いられる場合は、シャフト装置３内のカム、押圧ホイール及び螺旋形圧縮ばねの作用により、クランプ部１２及びフック部１３がともに本体部１１に密接に当接され、一定のクランプ力を維持することができるので、一定の外力を施さなければ回転することができない。また、バッグハンガーとして用いられる場合は、クランプ部１２及びフック部１３がともに本体部１１に対して一定角度だけ回転した後に安定状態を保つことができ、一定の外力に耐えることができる。
【００２５】
図９に示すように、クランプ部１２に接続される本外部１１の一端に、クランプ部１２の回転角度を制限するための第一ストッパー１１９が設けられ、これにより、クランプ１２が本体部１１に対して回転する角度が大きすぎないようにさせることができる。また、本体部１１に接続されるフック部１３の一端に、フック部１３の回転角度を制限するための第二ストッパー１３９が設けられ、これにより、フック部１３が本体部１１に対して回転する角度が大きすぎないようにさせることができる。
【００２６】
図１２は、本発明の他の実施例によるバッグハンガー（クランプディスクにＬＥＤ灯が設けられている）の構造斜視図である。
【００２７】
図１２に示すように、本実施例のバッグハンガーでは、クランプディスク１２１にＬＥＤ灯９が設けられ、ＬＥＤ灯９の電源がクランプディスク１２１の内部に位置するボタン型電池であってもよく、ＬＥＤ灯９のスイッチ９１がクランプディスク１２１の側面に位置する。
【００２８】
以上、本発明の好ましい実施形態を説明したが、本発明はこの実施形態に限定されず、本発明の趣旨を離脱しない限り、本発明に対するあらゆる変更は本発明の範囲に属する。
【図１】
0005635681.tif 000002
【図２】
0005635681.tif 000003
【図３】
0005635681.tif 000004
【図４】
0005635681.tif 000005
【図５】
0005635681.tif 000006
【図６】
0005635681.tif 000007
【図７】
0005635681.tif 000008
【図８】
0005635681.tif 000009
【図９】
0005635681.tif 000010
【図１０】
0005635681.tif 000011
【図１１】
0005635681.tif 000012
【図１２】
0005635681.tif 000013